(57)【要約】  本発明は、自己着火式の内燃機関の燃焼室内に燃料を噴射する、噴射弁部材（６）を備えた燃料インジェクタであって、噴射弁部材（６）がアクチュエータ（３９）を介して直接的に制御可能であり、該アクチュエータ（３９）が圧力増幅装置（１２）を直接的に操作し、該圧力増幅装置（１２）を用いて、噴射弁部材（６）を負荷する制御室（２５）内における圧力に影響を及ぼすことができる形式のものに関する。このような形式の燃料インジェクタにおいて本発明の構成では、圧力増幅装置（１２）が第１の圧力増幅ピストン（１３）と第２の圧力増幅ピストン（１４）とを有しており、両圧力増幅ピストン（１３，１４）が、切欠きもしくは凹設部（１９）の内部で第１のストッパ面（２１）と第２のストッパ面（２２）との間において移動可能な連行体（２０）を介して連結されている。
2008506888.tif 000002
【特許請求の範囲】
【請求項１】
自己着火式の内燃機関の燃焼室内に燃料を噴射する、噴射弁部材（６）を備えた燃料インジェクタであって、噴射弁部材（６）がアクチュエータ（３９）を介して制御可能であり、該アクチュエータ（３９）が圧力増幅装置（１２）を直接的に操作し、該圧力増幅装置（１２）を用いて、噴射弁部材（６）を負荷する制御室（２５）内における圧力に影響を及ぼすことができる形式のものにおいて、圧力増幅装置（１２）が第１の圧力増幅ピストン（１３）と第２の圧力増幅ピストン（１４）とを有しており、両圧力増幅ピストン（１３，１４）が、切欠きもしくは凹設部（１９）の内部で第１のストッパ面（２１）と第２のストッパ面（２２）との間において移動可能な連行体（２０）を介して連結されていることを特徴とする、直接的な多段式の噴射弁部材制御装置を備えた燃料インジェクタ。
【請求項２】
多段式の圧力増幅装置（１２）の第２の圧力増幅ピストン（１４）が、内側に位置する第１の圧力増幅ピストン（１３）に摺動可能に支承されている、請求項１記載の燃料インジェクタ。
【請求項３】
圧力増幅ピストン（１３，１４）に配属された伝達エレメント（１１）が、インジェクタ体（２）内に支持された管状のばねエレメント（１７）によって負荷されている、請求項１記載の燃料インジェクタ。
【請求項４】
ニードル状に形成された噴射弁部材（６）の、前行程ｈ１に相当する第１の部分負荷範囲内において、アクチュエータ（３９）への給電の中断時に、第１の圧力増幅ピストン（１３）が制御室（２５）から外に、つまり制御室を拡大する方向に移動する、請求項１記載の燃料インジェクタ。
【請求項５】
ニードル状に形成された噴射弁部材（６）の、前行程ｈ１に相当する第１の部分負荷範囲の超過後に、連行体（２０）が第２の圧力増幅ピストン（１４）を、第１の圧力増幅ピストン（１３）と一緒に制御室（２５）から外に、つまり制御室を拡大する方向に移動させる、請求項１記載の燃料インジェクタ。
【請求項６】
前行程ｈ１が、連行体（２０）の平らな面と、第２の圧力増幅ピストン（１４）における凹設部（１９）の第１のストッパ面（２１）との間の間隔に相当している、請求項１記載の燃料インジェクタ。
【請求項７】
第１の圧力増幅ピストン（１３）の端面（２３）を介して又は第１の圧力増幅ピストン（１３）及び第２の圧力増幅ピストン（１４）の端面（２３，２４）を介して負荷可能な制御室（２５）が、液圧通路（２６）を介して、ニードル状に形成された噴射弁部材（６）のヘッド領域（３１）の上における液圧室と、液圧的に接続されている、請求項１記載の燃料インジェクタ。
【請求項８】
制御室（２５）と、ニードル状に形成された噴射弁部材（６）の上における液圧室とが、ばね負荷された制御室スリーブ（２７，３２）を介して画成されている、請求項７記載の燃料インジェクタ。
【請求項９】
第１の制御室スリーブ（２７）が食いつき縁部（２９）で、燃料インジェクタ（１）の中間円板（３）の上側の平らな面（７）に接触している、請求項８記載の燃料インジェクタ。
【請求項１０】
第２の制御室スリーブ（２７）が食いつき縁部（３５）で、燃料インジェクタ（１）の中間円板（３）の下側の平らな面（８）に接触している、請求項８記載の燃料インジェクタ。
【請求項１１】
第１の制御室スリーブ（２７）を中間円板（３）の上側の平らな面（７）に当て付けるばね（２８）が、第１の圧力増幅ピストン（１３）に摺動可能に支承された第２の圧力増幅ピストン（１４）のリング状の段部に接触している、請求項１記載の燃料インジェクタ。
【請求項１２】
多段式の圧力増幅装置（１２）の第２の圧力増幅ピストン（１４）の端面（１６）が、ピエゾアクチュエータ（３９）の下における伝達エレメント（１１）に支持されたばねエレメント（１５）を介して負荷されている、請求項１記載の燃料インジェクタ。
【発明の詳細な説明】
【技術分野】
【０００１】
今日の自己着火式の内燃機関では、ポンプ・ノズル・燃料噴射系の他に、高圧アキュムレータ噴射系（コモンレール）が使用される。高圧アキュムレータ噴射系では、内燃機関のシリンダにそれぞれ配属された個々の燃料インジェクタに、高圧アキュムレータ（コモンレール）から燃料が供給される。燃料インジェクタは電磁弁を介して又はピエゾアクチュエータを介して操作可能である。燃料インジェクタがピエゾアクチュエータを介して操作される場合には、直接的にピエゾアクチュエータを介して操作可能な噴射弁部材を実現することができる。
【０００２】
従来の技術
ＤＥ６９７２０１４５Ｃ２に基づいて噴射弁部材が公知である。噴射弁は弁ニードルを有していて、この弁ニードルは、ばね室内におけるばねによって座面に向かって押圧されている。ばねは、弁ニードルに結合されたばね受と、可動のストッパとの間に設けられている。これにより貫流路が狭められ、この狭められた貫流路を通って燃料は、制限された速度もしくは制限された量でしかばね室から流出できない。噴射弁はさらに、可動のストッパ面を備えた弁を有しており、この弁は噴射弁の運転中に操作可能であり、燃料は第２の高い速度もしくは多い量でばね室から流出することができる。この弁は、ばね室と連通する開口の周りに丸く形成された座面によって形成され、可動のストッパは座面と接触することができ、その結果開口を通る燃料流を制御することができる。可動のストッパは、ポンプ室内における燃料圧の影響下で可動に形成されることができる。
【０００３】
噴射弁部材を直接的に制御することができる燃料インジェクタにおいてアクチュエータによって噴射弁部材を開放できるようにするためには、アクチュエータは大きな開放力を克服する必要がある。アクチュエータによってもたらすことが必要な大きな開放力は、ノズルニードル状に形成された噴射弁部材が系圧（高圧アキュムレータ室もしくはコモンレールにおける圧力レベル）によって負荷されて、その座に押し付けられることに起因している。噴射弁部材をその座から開放するために必要な力は、数百Ｎの値、例えば約４００Ｎである。十分な燃料流を、完全に開放された噴射弁部材において噴射開口を通して自己着火式内燃機関の燃焼室内に供給するためには、さらに、噴射弁部材が数百μｍ、例えば２００μｍと３００μｍとの間の値の最大行程運動を実施することが、必要である。上の値、つまり噴射弁部材を開放するために必要な数１００Ｎの力、並びに完全に閉鎖されたポジションから完全に開放されたポジションへの噴射弁部材の最大行程運動距離は、燃料インジェクタ内に組み込まれるピエゾアクチュエータのサイズを規定する主要なパラメータである。確かに、液圧による圧力増幅装置を組み込むことによって、ピエゾアクチュエータの長さ／直径比を変化させることができるが、しかしながら、アクチュエータ容積とも呼ばれる、アクチュエータの構造寸法は、ニードル状に形成された噴射弁部材の最大行程運動距離と、もたらすことのできる開放力とにほぼ比例している。
【０００４】
従来技術に基づいて公知の解決策では、必要な範囲内で噴射弁部材の行程を制御するために必要な、１：３〜４の大きな圧力増幅比には、問題がある。それというのは、大きな圧力増幅比に基づいて、ピエゾアクチュエータの構造寸法は著しく増大するからである。
【０００５】
発明の開示
本発明によれば、多段式の、例えば二段式の圧力増幅装置によって、従来技術における欠点を回避する、噴射弁部材のための制御可能性を得ることができる。本発明の解決策によって得られる噴射経過パターンは、噴射弁部材の下側の部分行程範囲において１：１〜１.５倍の圧力増幅比によって傑出していて、これによって正確かつ迅速で特に安定的な制御可能性が得られる。また噴射弁部材の上側の行程範囲において、圧力増幅比は高いレベルで、例えば１：４〜７で推移する。
【０００６】
噴射弁部材の下側の部分行程範囲のための圧力増幅比と噴射弁部材の上側の部分行程範囲行程のための圧力増幅比とに分けるのに有利な構成では、多段式に形成された圧力増幅装置が燃料インジェクタの内部に互いに入れ子式に案内される２つのピストンを有していて、両ピストンが連行体を介して互いに連結されている。連行体は、両ピストンのうちの１つのピストンの切欠きもしくは凹設部に係合しており、この切欠きもしくは凹設部は、連行体が所定の部分行程到達後に初めて、内側の圧力増幅ピストンに摺動可能に支承された外側の圧力増幅ピストンを連行するように、寸法設定されている。下側の部分行程範囲における圧力増幅比は、ｄ１とｄ２との直径比によって、つまり噴射弁部材のヘッド領域の直径と内側に位置するように配置された圧力増幅ピストンの直径との間の直径比によって与えられており、これに対して噴射弁部材の上側の部分行程範囲において有効な圧力増幅比は、ｄ１とｄ３との直径比、つまり噴射弁部材のヘッド領域の直径と、連行体を介して第１の圧力増幅ピストンに連結された第２の圧力増幅ピストンの外径とによって与えられている。
【０００７】
図面
次に図面を参照しながら本発明の実施例を詳説する。
【０００８】
図１は、多段式に制御可能で直接的に操作されるノズルニードル状の噴射弁部材を備えた燃料インジェクタを示す断面図である。
【０００９】
実施例
図１に示された燃料インジェクタ１は、インジェクタ体２と中間円板３とノズル体４とを有している。インジェクタ体２とノズル体４とは、ノズル緊締ナット５を用いて互いにねじ結合されている。つまりインジェクタ体２とノズル体４とのねじ結合前に、ノズル体４には中間円板３が装着され、この中間円板３は少なくとも２つの流路２６；４０を有しており、これらの流路については後で詳しく述べる。
【００１０】
燃料インジェクタ１はその他に、単数又は複数部分から輪郭形成可能なニードル状に形成された噴射弁部材６を有しており、この噴射弁部材６によって、燃料インジェクタ１の燃焼室側の端部に形成された噴射開口（図示せず）が開閉可能である。
【００１１】
インジェクタ体２とノズル体４との間における中間円板３は、インジェクタ体２の下側の平らな面に向けられた上側の平らな面７と、ノズル体４の上側の平らな面に向けられた下側の平らな面８とを有している。
【００１２】
燃料インジェクタ１のインジェクタ体２には、さらに中空室９が形成されており、この中空室９内にはアクチュエータ３９が形成されていて、このアクチュエータ３９は例えば、圧電結晶積層体から構成されたピエゾアクチュエータとして形成されている。中空室９には、系圧に保たれた燃料が蓄えられる図示されていない高圧アキュムレータ（コモンレール）からの燃料供給路１０が開口している。この燃料供給路１０を介して、系圧（レール圧）下にある燃料は、中空室９に流入し、この中空室９から、燃料インジェクタ１に受容された多段の圧力増幅装置１２に沿って、中間円板３の通路４０に流入し、そこからノズル体４に流れる。
【００１３】
燃料インジェクタ１の中空室９には多段に形成された圧力増幅装置１２が配置されている。多段の圧力増幅装置１２は第１の圧力増幅ピストン１３と、この第１の圧力増幅ピストン１３を取り囲んでいて該第１の圧力増幅ピストン１３に沿って案内される第２の圧力増幅ピストン１４とを有している。直径ｄ２で形成された第１の圧力増幅ピストン１３は、リング状に形成された連行体２０のための溝３０を有しており、連行体２０は、第１の圧力増幅ピストン１３を取り囲む第２の圧力増幅ピストン１４の切欠きもしくは凹設部１９に係合している。第２の圧力増幅ピストン１４における凹設部１９は第１のストッパ面２１と第２のストッパ面２２とによって画成されている。
【００１４】
外側の第２の圧力増幅ピストン１４は、コイルばねとして形成可能なばねエレメント１５によって負荷される端面１６を有しており、ばねエレメント１５は、ピエゾアクチュエータ３９の下に形成された支持円板１１に支持されており、この支持円板１１はアクチュエータ３９への給電時に鉛直方向の運動を行う。支持円板１１は、管状のばねエレメントである管ばね１７を介して支持されていて、この管ばね１７は支持円板１１とは反対側の端部で、中間円板３の上側の平らな面７に支持されている。管ばね１７を用いて支持円板１１は、アクチュエータ３９の圧電結晶積層体への給電が中止された時に、休止位置へともたらされる。支持円板１１と中間円板３の上側の平らな面７との間における管ばね１７は、ストッパスリーブ１８を取り囲んでいる。ストッパスリーブ１８は第２の圧力増幅ピストン１４の段部の下で延びていて、ばね２８を取り囲んでおり、このばね２８は、制御室２５を画成する第１の制御室スリーブ２７を、燃料インジェクタ１の中間円板３の上側の平らな面７に接触させる。ばね２８は持続的に、中空室９における燃料圧に基づいて緊縮されているので、第１の制御室スリーブ２７の下側に形成された食いつき縁部２９を、常に中間円板３の上側の平らな面７に当て付けることが保証されており、その結果制御室２５はシールされている。制御室２５からは、この制御室２５内における燃料は、制御室２５内への第１の圧力増幅ピストン１３もしくは第２の圧力増幅ピストン１４の進入又は両圧力増幅ピストンの進入に相応して圧縮されて、通路２６を介して、中間円板３の下側の平らな面８の下に位置する液圧室に流入し、この液圧室は、ニードル状に形成された噴射弁部材６のヘッド３１を液圧的に負荷する。
【００１５】
制御室２５は一方では中間円板３の上側の平らな面７によって、かつ他方では第１の圧力増幅ピストン１３の端面２３と第２の圧力増幅ピストン１４の端面２４とによって負荷される。
【００１６】
中間円板３の下に配置されていてニードル状に形成された噴射弁部材６は、直径ｄ１で形成されたヘッド３１を有している。この直径ｄ１に対して第２の圧力増幅ピストン１４は外径ｄ３を有しており、この外径ｄ３は、第１の圧力増幅ピストン１３の直径ｄ２及びニードル状に形成された噴射弁部材６のヘッド直径ｄ１を上回っている。中間円板３の下側の平らな面８とニードル状に形成された噴射弁部材６の上側の端面との間における液圧室は、第２の制御室スリーブ３２によって画成される。第２の制御室スリーブ３２はそれ自体ばね３３を介して負荷されており、このばね３３は支持リング３４に支持されていて、この支持リング３４は例えば、ニードル状に形成された噴射弁部材６の周面に焼き嵌めされていることができ、つまりプレス座を用いて、ニードル状に形成された噴射弁部材６の周面と結合されている。支持リング３４の下においてニードル状に形成された噴射弁部材６の周囲には、２つ又はそれ以上の切欠きもしくは間隙３６が配置されており、これらの間隙３６を介して燃料は流れ方向３８で見てリング間隙３７内へと流入する。このリング間隙３７の下においてニードル状に形成された噴射弁部材６とノズル体４との間には、燃料インジェクタ１の燃焼室側の端部に図示されていない噴射開口が設けられている。
【００１７】
間隙３６はニードル状に形成された噴射弁部材６の構成に応じて、３つの流れ間隙３６が形成されている場合には各１２０°の角度をおいて、又は４つの流れ間隙３６が形成されている場合には各９０°の角度をおいて、ニードル状に形成された噴射弁部材６にそれぞれ配置されている。
【００１８】
噴射弁部材６の閉鎖された状態では、アクチュエータ３９の圧電結晶積層体は給電されていて、鉛直方向において長く伸ばされている。これにより支持円板１１は鉛直方向で下方に向かって変位されて、管ばね１７を負荷し、その結果この管ばね１７はアクチュエータ３９の鉛直方向の行程方向とは逆向きに予負荷もしくはプレロードされる。アクチュエータ３９の圧電結晶積層体の給電に基づいて、多段式に形成された圧力増幅装置１２の第１の圧力増幅ピストン１３及び第２の圧力増幅ピストン１４は制御室２５内に進入させられる。これによって制御室２５内においては高められた圧力が生じ、この圧力は中間円板３における通路２６を介して、ニードル状に形成された噴射弁部材６のヘッド３１の上における液圧室に対して作用する。アクチュエータ３９への給電が中断されると、アクチュエータ３９の圧電結晶積層体は収縮し、鉛直方向におけるその長さは短縮される。予負荷された管ばね１７によって、支持円板１１は鉛直方向において、アクチュエータ３９の圧電結晶積層体の伸張の戻りに応じて上方に向かって移動し、その結果第１の圧力増幅ピストン１３の、制御室２５に向いた端面２３は、制御室２５から外に、つまり制御室２５を拡大する方向に移動し、これにより制御室２５における圧力は低下する。制御室２５における圧力降下と、ニードル状に形成された噴射弁部材６のヘッド３１の上における液圧室への制御室２５の液圧的な接続とに基づいて、ニードル状に形成された噴射弁部材６もまた上方に向かって移動し、噴射開口は開放される。図示された部分行程範囲内において、多段式に形成された圧力増幅装置１２は、１：１〜１.５の圧力増幅比で働く。図示された部分行程範囲内におけるこの圧力増幅比は、直径ｄ１／ｄ２によって規定され、この場合ｄ１は、ニードル状に形成された噴射弁部材６のヘッド３１の直径を示し、かつｄ２は、多段式に形成された圧力増幅装置１２の第１の圧力増幅ピストン１３の外径である。この部分行程範囲内において有効な１：１〜１.５の圧力増幅比に基づいて、燃料インジェクタ１の燃焼室側の端部に形成された噴射開口の迅速かつ正確でしかも安定的な開放を行うことができる。
【００１９】
アクチュエータ３９の給電が引き続き中断されると、アクチュエータ３９の圧電結晶積層体はさらに収縮し、つまり鉛直方向におけるその長さがさらに減じられる。それに基づいて、第１の圧力増幅ピストン１３の、制御室２５を負荷する端面２３は、さらに大きく制御室２５から外に移動する。リング状に形成された連行体２０の上側が、第２の圧力増幅ピストン１４における凹設部１９の第１のストッパ面２１に当接すると、ｈ１で示された行程を超過した後で、第１の圧力増幅ピストン１３の周囲に摺動可能に受容されている第２の圧力増幅ピストン１４は、連行体によって上方に向かって連行される。これによって、同様に制御室２５を負荷する第２の圧力増幅ピストン１４のリング状に形成された端面２４もまた、さらに制御室２５から外に移動する。行程ｈ１を進んだ後で、多段式に形成された圧力増幅装置は今や１：４〜７の第２の圧力増幅比で働き、この第２の圧力増幅比は、直径ｄ１／ｄ３の直径比によって規定される。この場合ｄ１は、既に述べたように、ニードル状に形成された噴射弁部材６のヘッド３１のヘッド直径であり、ｄ３は、第１の圧力増幅ピストン１３に沿って摺動可能な第２の圧力増幅ピストン１４の外径である。行程ｈ１の超過後に一緒に制御室２ノズル緊締ナット５から外に移動する端面２３，２４に基づいて、制御室２５における圧力は、第１の圧力増幅ピストン１３の端面２３だけが制御室２５から外に移動する状態に比べて、迅速に降下する。これに基づいて、小さなアクチュエータ行程によって、ニードル状に形成された噴射弁部材６の完全な開放を、大きな液圧的な面（２３＋２４）の運動により達成することができ、このことは内燃機関の全負荷領域において大きな意味がある。
【００２０】
ピエゾアクチュエータ３９の圧電結晶積層体が再び給電されると、この圧電結晶積層体に対する給電レベルに相応して圧電結晶積層体は伸長させられ、これによって支持円板１１は、中間円板３の上側の平らな面７に支持された管ばね１７の作用に抗して圧縮される。管ばね１７はストッパスリーブ１８を取り囲んでおり、このストッパスリーブ１８は、その上縁部で第２の圧力増幅ピストン１４の外周部における段部に下から係合し、その基本位置を規定する。支持円板１１がアクチュエータ３９の圧電結晶積層体の伸長に基づいて鉛直方向で下方に向かって移動すると、まず初めに、内側に位置している第１の圧力増幅ピストン１３の端面２３が制御室２５内に進入し、連行体２０の下側が凹設部１９の第２のストッパ面２２に接触するや否や、第２の圧力増幅ピストン１４もまたその基本位置へと移動し、この基本位置は、同様に中間円板３の上側の平らな面７に支持されたストッパスリーブ１８によって規定されている。
【００２１】
燃料供給路１０を介して、系圧（レール圧）下にある燃料が、インジェクタ体２における中空室９に流入し、中間円板３に設けられた通路４０を介してノズル体４に流入する。第１の制御室スリーブ２７における食いつき縁部２９及び第２の制御室スリーブ３２の食いつき縁部３５の作用に基づいて、制御室２５と、ニードル状に形成された噴射弁部材６のヘッド３１の上における液圧室とに受容された制御容積は、噴射弁部材６に流れる燃料から分離される。
【００２２】
燃料は通路４０を介してノズル室４に流入し、ニードル状に形成された噴射弁部材６の周囲に設けられた間隙３６を介して、リング間隙３７に流入し、このリング間隙３７は、ニードル状に形成された噴射弁部材６の外周部とノズル体４の内側との間で画成されている。流れ方向３８において流れる燃料容積は、燃料インジェクタ１の燃料室側の端部に形成された噴射開口へと流れ、これらの噴射開口を介して、噴射弁部材６の全開放時又は部分開放時に、自己着火式の内燃機関の燃焼室内に達する。
【００２３】
本発明による解決策は特に次のことによって傑出している。すなわち本発明の解決策では、ニードル状に形成された噴射弁部材６の第１の部分行程範囲において、高い強度を有するニードル状に形成された噴射弁部材の開放を、１：１〜１.５の小さな圧力増幅比によって生ぜしめて、アクチュエータ行程と噴射弁部材との間において実現することができる。その結果、噴射弁部材６の第１の部分行程範囲において続く、燃焼室側に配置された噴射開口の開放がコントロールされ、つまり、ニードル状に形成された噴射弁部材６の速すぎる開放に基づいて生じる、燃焼室内にもたらされる燃料量に関する量の飛躍が、回避され、これによって、燃焼時における煤煙形成は著しく減じられる。部分行程ｈ１が得られた後で一緒に行われる、多段式の圧力増幅装置１２の両圧力増幅ピストン１３，１４の放圧運動に基づいて、開放方向において部分行程ｈ１が超えられた場合に、多段式に形成された圧力増幅装置１２の１：４〜７の高い圧力増幅比が生ぜしめられる。このようにして小さなアクチュエータ行程によって、端面２３，２４が一緒に運動することにより、ニードル状に形成された噴射弁部材６のさらなる開放を大きな圧力増幅をもって行うことができる。
【００２４】
本発明による解決策に基づいて、従来技術による公知の解決策とは異なり、アクチュエータ構造容積を著しく減じることができる。ニードル状に形成された噴射弁部材６の部分行程に相当する２つの圧力増幅比、つまり第１の部分行程範囲における１：１〜１.５の圧力増幅比と別の部分行程範囲における１：４〜７の圧力増幅比とによって、自己着火式内燃機関の燃焼室への噴射経過もしくは噴射パターンを形作ることができ、この場合特に、ニードル状に形成された噴射弁部材６を制御するアクチュエータ３９を、可能な限り構造空間を節減して燃料インジェクタ１の中空室９内に収容するという要求が、配慮されている。
【図面の簡単な説明】
【００２５】
【図１】多段式に制御可能で直接的に操作されるノズルニードル状の噴射弁部材を備えた燃料インジェクタを示す断面図である。
【符号の説明】
【００２６】
１  燃料インジェクタ、  ２  インジェクタ体、  ３  中間円板、  ４  ノズル体、  ５  ノズル緊締ナット、  ６  噴射弁部材、  ７  上側の平らな面、  ８  下側の平らな面、  ９  中空室、  １０  燃料供給路、  １１  支持円板、  １２  多段式の圧力増幅装置、  １３  第１の圧力増幅ピストン、  １４  第２の圧力増幅ピストン、  １５  第１の圧力増幅ピストン用のばねエレメント、  １６  第２の圧力増幅ピストン用のばねエレメント、  １７  管ばね、  １８  ストッパスリーブ、  １９  凹設部、  ２０  連行体、  ｈ１  連行体２０の前行程、  ２１  凹設部１９の第１のストッパ面、  ２２  凹設部１９の第２のストッパ面、  ２３  第１の圧力増幅ピストン１３の端面、  ２４  第２の圧力増幅ピストン１４の端面、  ２５  制御室、  ２６  通路、  ２７  第１の制御室スリーブ、  ２８  ばね、  ２９  ２７の食いつき縁部、  ｄ１  噴射弁部材６のヘッド直径、  ｄ２  第１の圧力増幅ピストン１３の直径、  ｄ３  第２の圧力増幅ピストン１４の直径、  ３０  連行体２０用の受容溝、  ３１  噴射弁部材６のヘッド、  ３２  第２の制御室スリーブ、  ３３  ばね、  ３４  支持リング、  ３５  第２の制御スリーブ３２の食いつき縁部、  ３６  間隙（１２０°、９０°）、  ３７  リング間隙、  ３８  燃料の流れ方向、  ３９  アクチュエータ
【図１】
2008506888.tif 000003
【国際調査報告】
2008506888.tif 000004
2008506888.tif 000005
2008506888.tif 000006
2008506888.tif 000007
2008506888.tif 000008